(57)【要約】【課題】開口の厚みを薄くしながら、全体の機械的強度を確保することが可能な光学機器用遮光枠を提供する。【解決手段】光学素子Ｌ２〜Ｌ６の光軸Ａと平行なガイド部材３６、３７、５２、５８に摺動可能に支持した、該光軸と直交する金属板からなりかつ開口５５ａを有するベース部材５５と、ベース部材の被写体側の面に固定した、該ベース部材を上記ガイド部材に支持したときに上記光学素子と対向し、かつ周縁が上記開口の周縁の内側に位置する光束規制開口５６ａを有するベース部材より薄い樹脂製膜５６と、を備える。【選択図】図６
2012078635.tif 000002
【特許請求の範囲】
【請求項１】
光学素子の光軸と平行なガイド部材に摺動可能に支持した、該光軸と直交する金属板からなりかつ開口を有するベース部材と、
該ベース部材の一方の面に固定した、周縁が上記開口の周縁の内側に位置する光束規制開口を有するベース部材より薄い樹脂製膜と、
を備えることを特徴とする光学機器用遮光枠。
【請求項２】
請求項１記載の光学機器用遮光枠において、
上記ベース部材の厚さが０．０７mm〜０．３mmである光学機器用遮光枠。
【請求項３】
請求項１または２記載の光学機器用遮光枠において、
上記樹脂被膜の厚さが０．０１mm〜０．０６mmである光学機器用遮光枠。
【請求項４】
請求項１から３のいずれか１項記載の光学機器用遮光枠において、
上記樹脂被膜を接着によって上記ベース部材に固定した光学機器用遮光枠。
【発明の詳細な説明】
【技術分野】
【０００１】
本発明は、光学素子の光軸と平行なガイド部材に摺動可能に支持される光学機器用遮光枠に関する。
【背景技術】
【０００２】
可動レンズを備える光学機器に撮影光束を透過させる（光束径を規制する）ための開口を備える遮光枠を設ける場合は、該可動レンズを支持しかつ光軸方向に進退する可動レンズ枠（又は可動レンズ）に遮光枠を相対移動不能又は可能に支持して、遮光枠を可動レンズ枠（レンズ）と一緒に光軸方向に進退させるのが一般的である（例えば、特許文献１、特許文献２）。
しかし遮光枠を可動レンズ枠とは独立させて光軸方向に進退可能とすれば、可動レンズ枠（レンズ）がどの光軸方向位置に位置するときも迷光を効果的に遮光可能になる。
そこで本出願人は、光学機器内に固定した光軸と平行なガイド部材に遮光枠を摺動可能に支持することにより、遮光枠を可動レンズ枠とは独立させて進退可能とした発明を完成した。
【先行技術文献】
【特許文献】
【０００３】
【特許文献１】特開２００３−５７７２１号公報
【特許文献２】特開２０１０−１４７８６号公報
【発明の概要】
【発明が解決しようとする課題】
【０００４】
遮光枠の開口の厚み（光軸方向寸法）が大きい場合は該開口の内周面で撮影光が反射してしまうため、開口の厚み方向寸法を出来るだけ短くするのが好ましい。
その一方で、遮光枠がガイド部材に沿って円滑に摺動するためには、遮光枠自体が相応の機械的強度を有する必要がある。しかし開口の厚みを小さくするために遮光枠全体を極端に薄くすると、遮光枠の機械的強度が大きく低下してしまう。
【０００５】
本発明は、開口の厚みを薄くしながら、全体の機械的強度を確保することが可能な光学機器用遮光枠を提供することを目的とする。
【課題を解決するための手段】
【０００６】
本発明の光学機器用遮光枠は、光学素子の光軸と平行なガイド部材に摺動可能に支持した、該光軸と直交する金属板からなりかつ開口を有するベース部材と、該ベース部材の一方の面に固定した、周縁が上記開口の周縁の内側に位置する光束規制開口を有するベース部材より薄い樹脂製膜と、を備えることを特徴としている。
【０００７】
上記ベース部材の厚さは、例えば０．０７mm〜０．３mmであってもよい。
【０００８】
上記樹脂被膜の厚さは、例えば０．０１mm〜０．０６mmであってもよい。
【０００９】
上記樹脂被膜を接着によって上記ベース部材に固定してもよい。
【発明の効果】
【００１０】
本発明によれば、薄い部材である樹脂製膜に光束規制開口を形成して、該光束規制開口によって撮影光の光束径を規制するので、光束規制開口の内周面による撮影光の反射を効果的に抑制できる。
その一方で、ガイド部材に支持されるベース部材を金属板によって構成することにより機械的強度を確保しているので、遮光枠がガイド部材に沿ってスライドするときにベース部材が大きく撓むことはなく、ベース部材（遮光枠）はガイド部材に沿って円滑に摺動させることが可能である。
さらに金属板からなるベース部材は薄肉であっても相応の機械的強度を発揮するので、ベース部材も薄くすることが可能である。そのため、光束規制開口を透過した撮影光がベース部材の開口の内周面に当たって反射するおそれも殆どない。
【図面の簡単な説明】
【００１１】
【図１】本発明の一実施形態の撮像ユニットの前斜め上方から見た斜視図である。
【図２】撮像ユニットの前斜め上方から見た分解斜視図である。
【図３】撮像光学系がテレ端位置にあるときのカバー部材及び回路基板を取り外した撮像ユニットの正面図である。
【図４】撮像光学系がテレ端位置にあるときの図１のIV−IV矢線に沿う断面図である。
【図５】撮像光学系がワイド端位置にあるときの図３と同様の正面図である。
【図６】２群レンズ枠、第１遮光枠、及び、その周辺部材の斜視図である。
【図７】３群レンズ枠、第２遮光枠、及び、その周辺部材の斜視図である。
【図８】第２遮光枠の正面図である。
【発明を実施するための形態】
【００１２】
以下、添付図面を参照しながら本発明の一実施形態について説明する。なお以下の説明における前後、左右、及び、上下の各方向は、図中に記載した矢線方向を基準としている。
図１、図２に示すように撮像ユニット１０は大きな構成要素として本体モジュール１５、基板モジュール６５、及び、カバー部材７６を具備している。
本体モジュール１５は、合成樹脂製のハウジング１６を備えている。ハウジング１６は前面の左端部に断面略Ｄ字形の取付用凹部１７を有し、前面の該左端部を除く部分には断面略矩形の収納凹部１８を有し、取付用凹部１７と収納凹部１８の間には両者を区切る隔壁１９を備えており、隔壁１９の中央部には取付用凹部１７と収納凹部１８を連通させるための連通孔２０（図３〜図５参照）が穿設してある。収納凹部１８の底面（後面）の右端部には正面視略方形をなす位置決め部２２が前向きに突設してある。位置決め部２２は前方に向かって突出する３つの位置決め用突部２３を備えており、各位置決め用突部２３の前面は前後方向（ハウジング１６の厚み方向）に対して直交する偏平な位置決め平面２４となっている。また位置決め部２２の内部には前面及び左側面が開口するプリズム用凹部２５が凹設してある。さらに位置決め部２２の左側面には上下一対の規制用突部２６が突設してあり、各規制用突部２６の左端面は左右方向に対して直交する平面からなる遮光枠位置規制面２６ａとなっている。さらに収納凹部１８の内周面の前縁部には、ハウジング１６の前面より後方に一段後退しかつ前後方向に対して直交する基板支持面２７が形成してあり、基板支持面２７の２カ所には前向きに突出する係止突起２８が設けてある。ハウジング１６の上面中央部の前端部には周辺部に比べて（下方に）一段下がった第１係合凹部３０が形成してあり、第１係合凹部３０の左側には第１係合凹部３０と同じ高さに位置しかつ第１係合凹部３０より広幅の第２係合凹部３１が形成してあり、第２係合凹部３１には係合突起３２が突設してある。さらにハウジング１６の下面にも同じ構成の第１係合凹部３０、第２係合凹部３１、係合突起３２が形成してある。下面の第１係合凹部３０、第２係合凹部３１、係合突起３２の互いの位置関係は上面のものと同じであるが、下面の第１係合凹部３０、第２係合凹部３１、係合突起３２は上面のものに対して全体的に右側にずれている。さらにハウジング１６の右側面には上下一対の係合突起３４が突設してある。
【００１３】
図３〜図５に示すように取付用凹部１７の内部には、前後方向に対して直交する入射面ＬＰ１−ａと左右方向に対して直交する出射面ＬＰ１−ｂとを備える第１プリズムＬＰ１が嵌合固定してある。また取付用凹部１７の前端部には、取付用凹部１７と同じ断面形状でその光軸が前後方向に延びるレンズＬ１が嵌合固定してある。レンズＬ１の前面は前方に露出しており、レンズＬ１の後面と入射面ＬＰ１−ａは前後方向に対向している。
また図２、図４に示すように連通孔２０には第１プリズムＬＰ１の出射面ＬＰ１−ｂと左右方向に対向する２枚のレンズＬ２、３が嵌合固定してある。
プリズム用凹部２５には左右方向に対して直交する入射面ＬＰ２−ａと前後方向に対して直交する出射面ＬＰ２−ｂとを備える第２プリズムＬＰ２が嵌合固定してあり、入射面ＬＰ２−ａは出射面ＬＰ１−ｂと左右方向に対向している。レンズＬ１、第１プリズムＬＰ１、レンズＬ２、レンズＬ３が第１レンズ群ＬＧ１の構成要素である。
【００１４】
ハウジング１６の右側壁の内面と隔壁１９には共に左右方向に直線的に延びる金属製の円柱部材である第１ロッド３６と第２ロッド３７の両端部が上下に並べた状態で固定してある。
第１ロッド３６には合成樹脂製の２群レンズ枠３９の上部に形成した挿通孔４０が嵌合しており、第２ロッド３７には２群レンズ枠３９の下端部に形成した回転止め溝４１が係合している。このように回転止め溝４１が第２ロッド３７に係合することにより２群レンズ枠３９の第１ロッド３６回りの回転を規制しているので、２群レンズ枠３９は第１ロッド３６及び第２ロッド３７に沿って左右方向にスライド可能である。２群レンズ枠３９を左右方向に貫通するレンズ保持孔には、２枚のレンズＬ４、Ｌ５からなり、かつ出射面ＬＰ１−ｂ及び入射面ＬＰ２−ａと左右方向に対向する第２レンズ群ＬＧ２が嵌合固定してある。２群レンズ枠３９の右側面には、中央部にレンズＬ４、Ｌ５と同心をなす光束規制開口４３ａを有する遮光シート４３が固着してある。また、２群レンズ枠３９の上端部には左右両端が開放したナット保持孔４２が形成してあり、ナット保持孔４２には軸線が左右方向に延びる雌ねじ孔を備えるドリブンナット４４が嵌合固定してある（ナット保持孔４２の第１ロッド３６側の端部がドリブンナット４４の回転止めを構成している）。収納凹部１８の上部にはステッピングモータからなる第１モータＭ１が固定してある。第１モータＭ１は左方に向かって直線的に延びる回転駆動軸Ｍ１ａを備えており、回転駆動軸Ｍ１ａの先端部近傍に形成した雄ねじ溝がドリブンナット４４の上記雌ねじ溝に螺合している。従って、第１モータＭ１を動作させることにより回転駆動軸Ｍ１ａをその軸線回りに正逆回転させると、２群レンズ枠３９（レンズＬ４、Ｌ５）が第１ロッド３６と第２ロッド３７に沿って図３、図４に示すテレ端位置と図５に示すワイド端位置の間を左右方向に直線移動する。
また第２ロッド３７には２群レンズ枠３９の右側に位置する合成樹脂製の３群レンズ枠４７の下部に形成した挿通孔４８が嵌合しており、第１ロッド３６には３群レンズ枠４７の上端部に形成した回転止め溝４９が係合しているので、３群レンズ枠４７は第１ロッド３６及び第２ロッド３７に沿って（第２ロッド３７回りに回転を規制された状態で）左右方向にスライド可能である。３群レンズ枠４７を左右方向に貫通するレンズ保持孔には１枚のレンズＬ６からなり第２レンズ群ＬＧ２と互いに同心をなす第３レンズ群ＬＧ３が嵌合固定してあり、３群レンズ枠４７の下端部には左右両端が開放したナット保持孔５０が形成してあり、ナット保持孔５０にはドリブンナット４４が嵌合固定してある（ナット保持孔５０の第２ロッド３７側の端部がドリブンナット４４の回転止めを構成している）。さらに収納凹部１８の下部には第１モータＭ１と同一仕様の第２モータＭ２が固定してあり、回転駆動軸Ｍ２ａ（回転駆動軸Ｍ１ａと同一仕様）の先端部近傍に形成した雄ねじ溝がドリブンナット４４の上記雌ねじ溝に螺合している。従って、第２モータＭ２を動作させることにより回転駆動軸Ｍ２ａをその軸線回りに正逆回転させると、３群レンズ枠４７（第３レンズ群ＬＧ３）が第１ロッド３６と第２ロッド３７に沿って図３、図４に示すテレ端位置と図５に示すワイド端位置の間を左右方向に直線移動する。
以上説明した第１レンズ群ＬＧ１、第２レンズ群ＬＧ２（２群レンズ枠３９、ドリブンナット４４）、第３レンズ群ＬＧ３（３群レンズ枠４７、ドリブンナット４４）、及び、第２プリズムＬＰ２が撮像光学系（屈曲光学系）の構成要素であり、第２レンズ群ＬＧ２（レンズＬ４、Ｌ５）と第３レンズ群ＬＧ３（レンズＬ６）が第１ロッド３６及び第２ロッド３７に沿って進退することにより該撮像光学系はズーミング動作を行い、第３レンズ群ＬＧ３が進退することによりフォーカシング動作を行う。
さらにハウジング１６、第１ロッド３６、第２ロッド３７、撮像光学系、第１モータＭ１、及び、第２モータＭ２が本体モジュール１５の構成要素である。
【００１５】
２群レンズ枠３９の上端近傍部には、第１ロッド３６、第２ロッド３７、及びレンズＬ２〜Ｌ６の光軸Ａと平行な金属製の円柱部材であるガイドバー５２の左端部が固定してある。ガイドバー５２には金属製のスライド筒５３がスライド自在に支持してあり、ガイドバー５２の右端部にはスライド筒５３の内径より大径の円形部材であるストッパ５２ａが一体的に形成してある。２群レンズ枠３９とスライド筒５３の間にはスライド筒５３を右側に向けて移動付勢する付勢手段（図示略）が設けてあるので、スライド筒５３に対して左向きの外力が掛からないときスライド筒５３はストッパ５２ａに当接する。
スライド筒５３には、ベース部材５５と樹脂製膜５６からなる第１遮光枠５４の上端部が固定してある。ベース部材５５はガイドバー５２に対して直交する金属板（例えば、鉄合金（ＳＵＳ）や銅合金など）からなるものであり、その板厚は０.１mmである。ベース
部材５５の中央部には矩形形状の開口５５ａが形成してある。ベース部材５５の上端部にはスライド筒５３に対して固定状態で嵌合する固定孔５５ｂが形成してあり、ベース部材５５の下端部には第２ロッド３７に対して係合する回転転止め溝５５ｃが形成してある。樹脂製膜５６はＰＥＴやＰＶＦなどの樹脂からなるベース部材５５より薄肉（０．０５mm
）のフィルムである。樹脂製膜５６は接着によってベース部材５５の左側面に接着（固定）してあり、その中央部には周縁が開口５５ａの内側に位置する矩形形状をなしかつ光軸Ａが貫通する光束規制開口５６ａが形成してある。スライド筒５３がガイドバー５２及び２群レンズ枠３９と一緒に左右方向に進退すると、ベース部材５５（第１遮光枠５４）は第２ロッド３７に沿って左右方向にスライドする。
【００１６】
３群レンズ枠４７の下端近傍部にはガイドバー５２と平行な金属製の円柱部材であるガイドバー５８の左端部が固定してある。ガイドバー５８にはスライド筒５３がスライド自在に支持してあり、ガイドバー５８の右端部にはスライド筒５３の内径より大径の円形部材であるストッパ５８ａが一体的に形成してある。３群レンズ枠４７とスライド筒５３の間にはスライド筒５３を右側に向けて移動付勢する付勢手段（図示略）が設けてあるので、スライド筒５３に対して左向きの外力が掛からないときスライド筒５３はストッパ５８ａに当接する。
ガイドバー５８に支持したスライド筒５３には、第１遮光枠５４と第２プリズムＬＰ２の間に位置する第２遮光枠５９の下端部が固定してある。第２遮光枠５９はベース部材５５（第１遮光枠５４のベース部材５５と同一仕様であるが、１８０°回転させてある）と樹脂製膜５６からなるものであり、ベース部材５５の下端部に形成した固定孔５５ｂがスライド筒５３に固定状態で嵌合しており、ベース部材５５の上端部に形成した回転転止め溝５５ｃが第１ロッド３６に係合している。該ベース部材５５の左側面にも樹脂製膜５６が接着（固定）してあり、その光束規制開口５６ａは開口５５ａの内側に位置し、光軸Ａが該光束規制開口５６ａを貫通している。ガイドバー５８に支持したスライド筒５３がガイドバー５８及び３群レンズ枠４７と一緒に左右方向に進退すると、ベース部材５５（第２遮光枠５９）は第１ロッド３６に沿って左右方向にスライドする。
【００１７】
基板モジュール６５は正面形状がハウジング１６の収納凹部１８と略同一であり前後方向に対して直交する平板からなる回路基板６６を具備している。回路基板６６の後面には図示を省略したプリント回路が形成してあり、かつ回路基板６６の角部の２カ所には円形孔６７が穿設してある。
回路基板６６の後面の右端部には撮像素子６９が固定してあり、撮像素子６９に設けた複数の端子（図示略）が上記プリント回路に半田付けにより固定状態で接続している。撮像素子６９の後面には前後方向に対して直交する撮像面（図示略）が形成してある。さらに撮像素子６９はその入射側の面（図中後面）に、平板からなり該撮像面全体を覆うカバーガラス７０を固定状態で備えている。
さらに撮像素子６９の後面（後端部）には、前面及び左側面が開放したゴム等の弾性材料からなるパッキン７２が被せてある。さらにパッキン７２の後面には上記撮像面全体を後方に露出させるための露出用孔７３と、露出用孔７３の右側に位置する貫通孔７４とが穿設してある。
以上説明した回路基板６６、撮像素子６９、及び、パッキン７２が基板モジュール６５の構成要素である。
【００１８】
金属板のプレス成形品であるカバー部材７６は、前後方向に対して直交する平板部である基部７７と、基部７７の上下両縁部からそれぞれ後方に向かって延びる短寸係合片７８及び長寸係合片（弾性係合片）７９と、基部７７の右側縁部からそれぞれ後方に向かって延びる上下一対かつ側面視略Ｔ字形の側部係合片（弾性係合片）８１と、を一体的に備えている。基部７７は回路基板６６より若干大寸の略矩形形状であり、かつ、共に前後方向に弾性変形可能な押圧片８４、押圧片８５、及び、押圧片８６を有している。
押圧片８４、押圧片８５、及び、押圧片８６は前方から後方に向かって突出する押圧突起８４ａ、押圧突起８５ａ、及び、押圧突起８６ａをそれぞれ具備しており（押圧片８４、押圧片８５、及び、押圧片８６の押圧突起８４ａ、押圧突起８５ａ、及び、押圧突起８６ａに対応する部分の前面は凹んでいる）、自由状態にあるとき押圧片８４、押圧片８５、及び、押圧片８６は基部７７の他の部分と同一平面上に位置している。
長寸係合片７９と側部係合片８１には共に方形をなす係合孔８０と係合孔８２がそれぞれ穿設してある。
【００１９】
本体モジュール１５に対して基板モジュール６５とカバー部材７６を組み付けるには、まず回路基板６６の２つの円形孔６７をハウジング１６の２つの係止突起２８にそれぞれ嵌合させながら回路基板６６によって収納凹部１８の前面開口を塞ぎ、回路基板６６の後面の周縁部を基板支持面２７に面接触させる（回路基板６６の前面とハウジング１６の前面は略同一平面上に位置する）。すると図４に示すようにハウジング１６の３つの位置決め用突部２３がパッキン７２の露出用孔７３及び貫通孔７４を前方に通り抜けて、その位置決め平面２４が撮像素子６９のカバーガラス７０の偏平な後面（撮像面の直後に位置する部分より外周側）に面接触する。さらに露出用孔７３を通して撮像素子６９の上記撮像面が第２プリズムＬＰ２の出射面ＬＰ２−ｂと前後方向に対向する。またパッキン７２の後面が位置決め部２２の前面に当接する。
次いでハウジング１６の隔壁１９より右側全体の前面にカバー部材７６の基部７７を前方から被せて、上下の長寸係合片７９の係合孔８０を上下の係合突起３２にそれぞれ係合させ、かつ、上下の側部係合片８１の係合孔８２を上下の係合突起３４にそれぞれ係合させて、カバー部材７６をハウジング１６に固定する。
このようにして撮像ユニット１０を組み立てると、カバー部材７６の押圧片８４、押圧片８５、及び、押圧片８６の押圧突起８４ａ、押圧突起８５ａ、及び、押圧突起８６ａが回路基板６６の前面の右側部に接触し、僅かに前方に弾性変形した押圧片８４、押圧片８５、及び、押圧片８６から（押圧突起８４ａ、押圧突起８５ａ、及び、押圧突起８６ａを通じて）回路基板６６の前面に後向きの押圧力（付勢力）が掛かるので、回路基板６６及び撮像素子６９が後方に押圧される。するとハウジング１６の３つの位置決め用突部２３の位置決め平面２４とカバー部材７６の押圧突起８４ａ、押圧突起８５ａ、及び、押圧突起８６ａによって回路基板６６と撮像素子６９の一体物が前後から挟持されるので、位置決め用突部２３と押圧突起８４ａ、８５ａ、８６ａとによって回路基板６６及び撮像素子６９がハウジング１６に対して前後方向に正確に位置決めされる。
【００２０】
撮像ユニット１０を前方に位置する被写体に向けると、該被写体の反射光（撮影光）はレンズＬ１を透過した後に入射面ＬＰ１−ａから第１プリズムＬＰ１の内部に入り、第１プリズムＬＰ１の内面によって出射面ＬＰ１−ｂ側に進行方向を９０°変換されながら反射される。さらに出射面ＬＰ１−ｂを出た該反射光は、各レンズＬ２〜Ｌ６、並びに、第１遮光枠５４及び第２遮光枠５９の光束規制開口５６ａを透過した後に入射面ＬＰ２−ａから第２プリズムＬＰ２の内部に入り、第２プリズムＬＰ２の内面によって出射面ＬＰ２−ｂ側に進行方向を９０°変換されながら反射され、露出用孔７３及びカバーガラス７０を通り抜けた後に撮像素子６９の上記撮像面によって撮像（受光）される。
さらに第１モータＭ１と第２モータＭ２を利用して第２レンズ群ＬＧ２（レンズＬ４、Ｌ５）と第３レンズ群ＬＧ３（レンズＬ６）を第１ロッド３６及び第２ロッド３７に沿って進退させることにより上記撮像光学系をズーミング動作及びフォーカシング動作させれば、被写体像を変倍及び合焦させた状態で撮像可能となる。
【００２１】
さらに本実施形態のように撮像ユニット１０を小型化（薄型化）した場合はハウジング１６の内壁や回路基板６６の内面（後面）と撮像光学系の距離が近づくため、何ら工夫を施さない場合はハウジング１６の内壁や回路基板６６の内面で反射した反射光（迷光）が第２プリズムＬＰ２を介さずに撮像素子６９の撮像面に直接入射したり、該反射光が第２プリズムＬＰ２の側面や出射面ＬＰ２−ｂで反射して撮像素子６９の撮像面に入射し、その結果、撮像した画像にゴーストが発生するリスクが高くなる。しかし本実施形態では２群レンズ枠３９（第２レンズ群ＬＧ２）の移動に伴って第１遮光枠５４をスライドさせ、かつ、３群レンズ枠４７（第３レンズ群ＬＧ３）の移動に伴って第２遮光枠５９をスライドさせることにより、第１遮光枠５４及び第２遮光枠５９を常にゴーストの発生を抑えるために最適な位置に移動させているので、ゴーストの発生を効果的に抑制できる。
【００２２】
しかも光束規制開口５６ａを形成した樹脂製膜５６が極めて薄いため、撮影光が光束規制開口５６ａを透過する（光束径を規制される）ときに光束規制開口５６ａの内周面によって反射することは殆どない。さらに光束規制開口５６ａの直後（上記した方向の定義では「右側」）に位置するベース部材５５も薄肉であるため、光束規制開口５６ａを透過した撮影光が開口５５ａの内周面に当たって反射するおそれも殆どない。そのため、光束規制開口５６ａ及び開口５５ａによる反射光に起因してゴーストが発生するおそれは殆どない。
さらに第１遮光枠５４及び第２遮光枠５９を薄くするためにベース部材５５を薄肉にしているものの、ベース部材５５は金属製であるため相応の機械的強度を発揮する。そのため第１遮光枠５４及び第２遮光枠５９が第１ロッド３６、第２ロッド３７、ガイドバー５２、５８に沿ってスライドするときにベース部材５５が大きく撓むことはないので、第１遮光枠５４及び第２遮光枠５９はガイドバー５２、５８に沿って円滑に摺動する。
さらに３群レンズ枠４７（第３レンズ群ＬＧ３）がテレ端位置側からワイド端位置近傍まで移動すると、第２遮光枠５９のベース部材５５の右側面に規制用突部２６の遮光枠位置規制面２６ａが当接することにより第２遮光枠５９のそれ以上の右側への移動が規制される一方で、３群レンズ枠４７（第３レンズ群ＬＧ３）はさらに右側へ移動するので、ワイド端位置まで移動したときには図５に示すように第２遮光枠５９と３群レンズ枠４７（第３レンズ群ＬＧ３）の左右方向距離が短くなる。同様に、２群レンズ枠３９（第２レンズ群ＬＧ２）がテレ端位置側からワイド端位置近傍まで移動すると、第１遮光枠５４のベース部材５５の右側面が（規制用突部２６によって移動を規制された）第２遮光枠５９の左側面に当接することにより第１遮光枠５４のそれ以上の右側への移動が規制される一方で、２群レンズ枠３９（第２レンズ群ＬＧ２）はさらに右側へ移動するので、ワイド端位置まで移動したときには図５に示すように第１遮光枠５４と２群レンズ枠３９（第２レンズ群ＬＧ２）の左右方向距離が短くなる。従って、撮像ユニット１０の左右方向寸法を大きくすることなく、２群レンズ枠３９（第２レンズ群ＬＧ２）、３群レンズ枠４７（第３レンズ群ＬＧ３）、第１遮光枠５４、及び、第２遮光枠５９を広い範囲でスライドさせることが可能である。
【００２３】
以上本実施形態を利用して本発明を説明したが、本発明は様々な変形を施しながら実施可能である。
例えば、ベース部材５５の板厚を０．０７mm〜０．３mmの範囲で変更したり、樹脂製膜
５６の肉厚を０．０１mm〜０．０６mmの範囲で変更してもよい。
さらに樹脂製膜５６をベース部材５５の右側面に固定（接着）してもよい。
また、第１プリズムＬＰ１と第２プリズムＬＰ２をミラーに代えてもよい。
さらに、撮像光学系（屈曲光学系）に含まれるプリズムを一つのみとしてもよい。
【符号の説明】
【００２４】
１０    撮像ユニット
１５  本体モジュール
１６    ハウジング
１７    取付用凹部
１８    収納凹部
１９    隔壁
２０    連通孔
２２    位置決め部
２３    位置決め用突部
２４    位置決め平面
２５    プリズム用凹部
２６    規制用突部
２６ａ  遮光枠位置規制面
２７    基板支持面
２８    係止突起
３０    第１係合凹部
３１    第２係合凹部
３２  ３４  係合突起
３６    第１ロッド（ガイド部材）
３７    第２ロッド（ガイド部材）
３９    ２群レンズ枠
４０    挿通孔
４１    回転止め溝
４２    ナット保持孔
４３    遮光シート
４３ａ  光束規制開口
４４    ドリブンナット
４７    ３群レンズ枠
４８    挿通孔
４９    回転止め溝
５０    ナット保持孔
５２    ガイドバー（ガイド部材）
５２ａ  ストッパ
５３    スライド筒
５４    第１遮光枠
５５    ベース部材
５５ａ  開口
５５ｂ  固定孔
５５ｃ  回転止め溝
５６    樹脂製膜
５６ａ  光束規制開口
５８    ガイドバー（ガイド部材）
５８ａ  ストッパ
５９    第２遮光枠
６５    基板モジュール
６６    回路基板
６７    円形孔
６９    撮像素子
７０    カバーガラス
７２    パッキン
７３    露出用孔
７４    貫通孔
７６    カバー部材
７７    基部
７８    短寸係合片
７９    長寸係合片（弾性係合片）
８０    係合孔
８１    側部係合片（弾性係合片）
８２    係合孔
８４  ８５  ８６  押圧片
８４ａ  ８５ａ  ８６ａ  押圧突起
Ｌ１    レンズ
Ｌ２    レンズ
Ｌ３    レンズ
Ｌ４    レンズ
Ｌ５    レンズ
Ｌ６    レンズ
ＬＧ１  第１レンズ群
ＬＧ２  第２レンズ群
ＬＧ３  第３レンズ群
ＬＰ１  第１プリズム
ＬＰ１−ａ  入射面
ＬＰ１−ｂ  出射面
ＬＰ２  第２プリズム
ＬＰ２−ａ  入射面
ＬＰ２−ｂ  出射面
Ｍ１    第１モータ
Ｍ１ａ  回転駆動軸
Ｍ２    第２モータ
Ｍ２ａ  回転駆動軸
【図１】
2012078635.tif 000003
【図２】
2012078635.tif 000004
【図３】
2012078635.tif 000005
【図４】
2012078635.tif 000006
【図５】
2012078635.tif 000007
【図６】
2012078635.tif 000008
【図７】
2012078635.tif 000009
【図８】
2012078635.tif 000010